(57)【要約】【課題】    製造コストが増加することなく各種の機能部品を組み込むことができ、かつ機能部品の交換および更新が容易にできるサッシ窓を提供すること。【解決手段】窓枠５内を無目６で仕切った下側矩形領域５Ｂに障子１０を配設し、上側矩形領域５Ａに機能面材２０を配設することで、機能面材２０に設けられた換気扇ユニット２２の換気機能を縦辷り出し窓１に付加することができる。また、換気扇ユニット２２は、機能面材２０に組み込まれた状態で窓枠５に取り付けられるので、特殊な形状の上枠や下枠、縦枠等を製造する必要がなく、汎用の窓枠５を使用することができ、製造コストの増加を防止することができる。さらに、機能面材２０を窓枠５から取り外して、新たな換気扇ユニット２２を組み込んだ機能面材２０を取り付けるだけで、窓枠５を交換しなくても換気扇ユニット２２の交換や更新が容易にできる。【選択図】  図６
2006077518.tif 000002
【特許請求の範囲】
【請求項１】
上枠、下枠、および左右の縦枠を四周枠組みして形成された窓枠と、
前記上枠と下枠との間または前記縦枠同士の間に架設され、前記窓枠を少なくとも２つの矩形領域に仕切る少なくとも１本の仕切り部材と、
上框、下框、および左右の縦框を四周框組みした内部に面材を嵌め込んで形成され、かつ前記矩形領域のうちの少なくとも１つに配設されて当該矩形領域を塞ぐ障子と、
所定の機能部品を組み込んで形成され、かつ前記障子が配設された矩形領域以外の矩形領域に配設されて当該矩形領域を塞ぐ機能面材とを備え、
前記矩形領域の四周を構成する前記上枠、下枠、縦枠、および前記仕切り部材には、当該矩形領域に配設される障子または機能面材の四周と取り合う取合部が形成され、
前記障子および機能面材の四周には、それぞれ前記各取合部に対応した被取合部が形成され、これらの被取合部のうち、少なくとも前記障子の上框および縦框の被取合部と前記機能面材の上辺および縦辺の被取合部とが互いに略同一の見込み寸法および見付け寸法に形成されているサッシ窓。
【請求項２】
前記仕切り部材は、前記窓枠の上枠および下枠に平行に、かつ前記縦枠同士の間に架設された１本の無目であって、この無目の上側に上部矩形領域が形成され、当該無目の下側に下部矩形領域が形成されており、
前記下部矩形領域に前記障子が配設され、前記上部矩形領域に前記機能面材が配設されている請求項１に記載のサッシ窓。
【請求項３】
前記機能部品は、通風ダクトおよび送風ファンを有して室内空間の空気を室外空間に排出する換気扇ユニットであって、この換気扇ユニットは、前記被取合部よりも室内側に突出して形成されており、
前記機能面材の室外側側面には、前記換気扇ユニットの通風ダクトを室外空間に連通させる室外側通気口が形成され、
前記機能面材の室内側には、前記換気扇ユニットの室内側突出部分を覆うカバー部材が設けられ、このカバー部材には、当該換気扇ユニットの通風ダクトを室内空間に連通させる室内側通気口が形成されている請求項１または請求項２に記載のサッシ窓。
【請求項４】
前記上枠、下枠、縦枠、および前記仕切り部材に形成された前記取合部は、前記矩形領域に向かって延びる見付け面と、この見付け面の室外側側面に設けられた当接部とを有して構成され、
前記障子および機能面材に形成された前記被取合部は、前記取合部の見付け面に対向しかつ室外側から前記当接部に当接される被当接部を有して構成され、
前記障子および前記機能面材において、前記被当接部は、略同一の見込み位置に四周連続して設けられている請求項１から請求項３のいずれかに記載のサッシ窓。
【請求項５】
前記取合部の見付け面および当接部と前記被取合部の被当接部とは、それぞれ見込み位置が異なる２箇所ずつに設けられ、室内側被当接部は、室外側被当接部よりも見付け方向内側に形成されており、
前記障子の上框および前記機能面材の上辺において、室内側被当接部と室外側被当接部との相対位置は、見込みおよび見付けの両方向に関して略同一とされ、
前記障子の下框および前記機能面材の下辺において、室内側被当接部と室外側被当接部との相対位置は、見込みおよび見付けの両方向に関して略同一とされ、
前記障子の縦框および前記機能面材の縦辺において、室内側被当接部と室外側被当接部との相対位置は、見込みおよび見付けの両方向に関して略同一とされている請求項４に記載のサッシ窓。
【請求項６】
前記機能面材は、上辺、下辺および左右の縦辺のうちの少なくとも対向する二辺が前記取合部の見付け面に室内側からビス止め固定されている請求項４または請求項５に記載のサッシ窓。
【発明の詳細な説明】
【技術分野】
【０００１】
本発明は、サッシ窓に関する。
【背景技術】
【０００２】
従来、建物の外壁開口部に設けられて室内空間へ採光や通風、換気を行うためのサッシ窓が一般的に用いられている。このサッシ窓は、通常、外壁開口部に固定された窓枠と、この窓枠内部に設けられた障子とを有して構成され、障子を窓枠に対して固定した嵌殺し窓や、障子を窓枠に対して開閉可能に支持させた開き窓、辷り出し窓、引違い窓、片引き窓、上げ下げ窓等の各種形式のものがある。そして、これらのサッシ窓では、近年、断熱や遮音に対する要求性能の高まりから気密性能が優れ、障子を閉じた状態では室内外の換気が行われないようになっている。このため、障子を閉じて断熱や遮音を確保したままでも、室内空間の空気を入れ換えることができる換気機能を有したサッシ窓が要望され、このような換気機能として窓枠に組み込むタイプの窓枠サッシ用換気扇が提案されている（例えば、特許文献１参照）。
【０００３】
特許文献１に記載された窓枠サッシ用換気扇は、中空状に形成されかつ室外側開口を有したサッシ窓の上枠（同文献中、サッシの上框）に組み込まれるもので、室内側開口を有する換気扇本体と、換気扇本体内部に設けられて上枠に平行な回転軸を有した軸流ファンとを備えて構成されている。そして、軸流ファンを作動させることで、室内側開口から換気扇本体内に室内の空気が吸い込まれ、この空気が軸流ファンを介して上枠の室外側開口から室外空間に排気され、室内空間の換気が実行されるようになっている。
【０００４】
【特許文献１】特開２０００−１１１１１０号公報
【発明の開示】
【発明が解決しようとする課題】
【０００５】
しかしながら、前記特許文献１に記載の窓枠サッシ用換気扇は、サッシ窓の上枠に組み込むタイプであることから、専用の上枠（窓枠）を製造する必要があるため、汎用の窓枠が使用できず、製造コストが増加してしまうという問題がある。
また、機能や性能が追加、向上された新たな換気扇に交換しようとした場合に、この新たな換気扇のサイズや取付部の取り合い等が変更されていると、既存の上枠に組み込むことができない、あるいは新たな換気扇に合わせた窓枠を製造して窓枠全体を交換する必要が生じるため、換気扇の交換や更新が困難であるという問題もある。
なお、以上の問題は、換気扇に限らず、各種の機能部品を窓枠に組み込んだサッシ窓において同様に生じる問題であり、その解決が望まれていた。
【０００６】
本発明の目的は、製造コストが増加することなく各種の機能部品を組み込むことができ、かつ機能部品の交換および更新が容易にできるサッシ窓を提供することにある。
【課題を解決するための手段】
【０００７】
本発明のサッシ窓は、上枠、下枠、および左右の縦枠を四周枠組みして形成された窓枠と、前記上枠と下枠との間または前記縦枠同士の間に架設され、前記窓枠を少なくとも２つの矩形領域に仕切る少なくとも１本の仕切り部材と、上框、下框、および左右の縦框を四周框組みした内部に面材を嵌め込んで形成され、かつ前記矩形領域のうちの少なくとも１つに配設されて当該矩形領域を塞ぐ障子と、所定の機能部品を組み込んで形成され、かつ前記障子が配設された矩形領域以外の矩形領域に配設されて当該矩形領域を塞ぐ機能面材とを備え、前記矩形領域の四周を構成する前記上枠、下枠、縦枠、および前記仕切り部材には、当該矩形領域に配設される障子または機能面材の四周と取り合う取合部が形成され、前記障子および機能面材の四周には、それぞれ前記各取合部に対応した被取合部が形成され、これらの被取合部のうち、少なくとも前記障子の上框および縦框の被取合部と前記機能面材の上辺および縦辺の被取合部とが互いに略同一の見込み寸法および見付け寸法に形成されていることを特徴とする。
【０００８】
ここで、機能面材に組み込まれる所定の機能部品としては、従来技術のような換気扇ユニットに限らず、例えば、太陽電池を有した太陽光発電ユニットや、監視カメラやセンサ、フラッシュライト、スピーカ等を有した防犯設備ユニットなどが適用可能である。さらに、１つの機能面材に複数の機能部品を組み込んだ構成としてもよい。
【０００９】
以上の本発明によれば、窓枠内を仕切り部材で仕切った複数の矩形領域に障子と機能面材とを配設することで、機能部品が有する機能をサッシ窓に付加することができるとともに、この窓枠用に設計された障子のサイズを変更するだけで、障子を矩形領域に容易に配設することができる。この際、機能部品は、従来のように窓枠の枠材に組み込まれるのではなく、機能面材に組み込まれた状態で窓枠内の矩形領域に取り付けられるので、特殊な形状の上枠や下枠、縦枠等を製造する必要がなく、汎用の窓枠を使用することができ、製造コストの増加を防止することができる。
さらに、機能部品を交換または更新する際に新たな機能部品のサイズや機能が変更されていた場合でも、機能面材を窓枠から取り外して、新たな機能部品を組み込んだ機能面材を取り付けるだけでよいため、窓枠を新たに製造して交換しなくても機能部品の交換や更新が容易にできる。
【００１０】
また、障子の上框および縦框の被取合部と機能面材の上辺および縦辺の被取合部とが、互いに略同一の見込み寸法および見付け寸法に形成されているので、窓枠の取合部を共通化でき、製造や組立に要する手間やコストを低減することができる。この際、被取合部の見込み寸法や見付け寸法を、当該窓枠用に設計された障子の断面形状に合わせて設定し、この窓枠の上枠や下枠、縦枠と同形状の取合部を有した仕切り部材を用意しておけば、窓枠および障子を設計し直す必要がないため、汎用の窓枠や障子が利用でき、さらに製造コストを低減することができる。
さらに、既存のサッシ窓に機能部品を追加するというリニューアルの要求に対しても、既存の窓枠に仕切り部材を追加して取り付け、窓枠内部を矩形領域に仕切ることで、新たに障子および機能面材を取り付けることができ、機能部品を付加してサッシ窓を改装することができる。
【００１１】
この際、本発明のサッシ窓では、前記仕切り部材は、前記窓枠の上枠および下枠に平行に、かつ前記縦枠同士の間に架設された１本の無目であって、この無目の上側に上部矩形領域が形成され、当該無目の下側に下部矩形領域が形成されており、前記下部矩形領域に前記障子が配設され、前記上部矩形領域に前記機能面材が配設されていることが好ましい。
このような構成によれば、窓枠内の上段に機能面材が配設されて下段に障子が配設されたサッシ窓を形成することができる。この際、障子の上框が取り合う無目の底面側の取合部が上枠の取合部と略同一寸法に形成されるので、この窓枠全体に取り付けられるように設計された障子の上下（縦）方向の寸法を短くして製造するだけで、窓枠や障子の設計変更の必要がなく、この障子を容易に窓枠の下部矩形領域に取り付けることができる。
【００１２】
さらに、本発明のサッシ窓では、前記機能部品は、通風ダクトおよび送風ファンを有して室内空間の空気を室外空間に排出する換気扇ユニットであって、この換気扇ユニットは、前記被取合部よりも室内側に突出して形成されており、前記機能面材の室外側側面には、前記換気扇ユニットの通風ダクトを室外空間に連通させる室外側通気口が形成され、前記機能面材の室内側には、前記換気扇ユニットの室内側突出部分を覆うカバー部材が設けられ、このカバー部材には、当該換気扇ユニットの通風ダクトを室内空間に連通させる室内側通気口が形成されていることが好ましい。
このような構成によれば、サッシ窓に換気機能を付加することができる。さらに、換気扇ユニットが室内側に突出した突出部分をカバー部材で覆うことで、サッシ窓の室内側の外観意匠を良好にすることができるとともに、障子の見込み寸法に関わらずに、要求される機能に応じたサイズの通風ダクトや送風ファンを選択することができる。
【００１３】
また、本発明のサッシ窓では、前記上枠、下枠、縦枠、および前記仕切り部材に形成された前記取合部は、前記矩形領域に向かって延びる見付け面と、この見付け面の室外側側面に設けられた当接部とを有して構成され、前記障子および機能面材に形成された前記被取合部は、前記取合部の見付け面に対向しかつ室外側から前記当接部に当接される被当接部を有して構成され、前記障子および前記機能面材において、前記被当接部は、略同一の見込み位置に四周連続して設けられていることが好ましい。
このような構成によれば、窓枠の室外側から障子および機能面材を矩形領域に嵌めて、窓枠および仕切り部材の取合部の当接部に被取合部の被当接部を当接させることで、障子および機能面材を容易に位置決めして取り付けることができる。この際、取合部の当接部および被取合部の被当接部の少なくとも一方を、他方に当接して室内外を気密する気密材で構成すれば、四周連続した気密材により窓枠と障子および機能面材との気密性を確保することができる。
【００１４】
この際、本発明のサッシ窓では、前記取合部の見付け面および当接部と前記被取合部の被当接部とは、それぞれ見込み位置が異なる２箇所ずつに設けられ、室内側被当接部は、室外側被当接部よりも見付け方向内側に形成されており、前記障子の上框および前記機能面材の上辺において、室内側被当接部と室外側被当接部との相対位置は、見込みおよび見付けの両方向に関して略同一とされ、前記障子の下框および前記機能面材の下辺において、室内側被当接部と室外側被当接部との相対位置は、見込みおよび見付けの両方向に関して略同一とされ、前記障子の縦框および前記機能面材の縦辺において、室内側被当接部と室外側被当接部との相対位置は、見込みおよび見付けの両方向に関して略同一とされていることが好ましい。
このような構成によれば、見込み方向に２箇所ずつ設けられた室内側被当接部と室外側被当接部とが、障子の上框、下框、および縦框と、機能面材の上辺、下辺、および縦辺とにおいて、それぞれ略同一の相対位置に設けられている。すなわち、障子の上框および機能面材の上辺、障子の下框および機能面材の下辺、障子の縦框および機能面材の縦辺が、それぞれ略同一寸法の被取合部を有していることで、障子と窓枠との取り付け部の納まり、および機能面材と窓枠との取り付け部の納まりを共通化することができる。従って、例えば窓枠を仕切り部材で上下に仕切り、上下の矩形領域の上側に障子を配設するか機能面材を配設するかによって仕切り部材の断面形状を変更する必要がなく、部品の共通化を一層促進させることができる。また、２箇所の当接部および被当接部に気密材を用いるようにすれば、気密性を向上させることができる。
【００１５】
さらに、本発明のサッシ窓では、前記機能面材は、上辺、下辺および左右の縦辺のうちの少なくとも対向する二辺が前記取合部の見付け面に室内側からビス止め固定されていることが好ましい。
このような構成によれば、機能面材の四周四辺のうちの少なくとも対向する二辺を、窓枠や仕切り部材の取合部の見付け面にビス止め固定するだけで、機能面材を簡単に窓枠に対して固定することができる。また、室内側からビス止めすることにより、室外側から機能面材を取り外すことができないので、防犯性を確保することができる。
【発明を実施するための最良の形態】
【００１６】
以下、本発明の実施形態を図面に基づいて説明する。
図１は、本発明の実施形態に係るサッシ窓である縦辷り出し窓１を示す正面図である。図２は、縦辷り出し窓１を示す縦断面図である。図３は、縦辷り出し窓１を示す横断面図であり、図１に矢視III−III線で示す断面図である。図４は、縦辷り出し窓１を示す横断面図であり、図１に矢視IV−IV線で示す断面図である。
【００１７】
縦辷り出し窓１は、建物の外壁開口部に設けられて建物の室内空間と室外空間とを仕切るもので、上枠２、下枠３、および左右の縦枠４を四周枠組みして形成された窓枠５を備えている。窓枠５の左右の縦枠４同士の間には、上枠２および下枠３に平行に１本の仕切り材である無目６が架設されており、この無目６により窓枠５の内部が上下に仕切られ、無目６の上側に上部矩形領域５Ａが形成され、無目６の下側に下部矩形領域５Ｂが形成されている。下部矩形領域５Ｂには、窓枠５および無目６に開閉自在に支持された障子１０が配設され、上部矩形領域５Ａには、窓枠５に固定された機能面材２０が配設されている。これらの障子１０および機能面材２０は、それぞれ室外側から窓枠５に取り付けられるようになっている。
【００１８】
窓枠５の上枠２、下枠３、および縦枠４は、それぞれの室内側に配置される室内部材２Ａ，３Ａ，４Ａと、室外側に配置される室外部材２Ｂ，３Ｂ，４Ｂと、これらアルミ押出形材製の室内部材２Ａ，３Ａ，４Ａおよび室外部材２Ｂ，３Ｂ，４Ｂを連結する断熱部材２Ｃ，３Ｃ，４Ｃとを備えて構成されている。そして、窓枠５の上枠２、下枠３、および縦枠４は、室内部材２Ａ，３Ａ，４Ａおよび室外部材２Ｂ，３Ｂ，４Ｂがそれぞれ建物躯体や額縁にビス止め固定されて開口部に取り付けられている。
また、無目６は、室内側に配置される室内部材６Ａと、室外側に配置される室外部材６Ｂと、これらアルミ押出形材製の室内部材６Ａおよび室外部材６Ｂを連結する断熱部材６Ｃとを備えて構成されている。そして、無目６は、室内部材６Ａおよび室外部材６Ｂに設けられたビスホールに縦枠４を貫通したビスを螺合することで窓枠５に固定されている。
【００１９】
障子１０は、上框１１、下框１２、および左右の縦框１３を四周框組みした内部に、ガラスパネル（複層ガラス）１４を嵌め込んで構成されている。また、障子１０の室内側には、網戸１５が窓枠５内に嵌め込まれている。障子１０は、上框１１および下框１２が窓枠５の上枠２および下枠３にヒンジ等を介して連結され、下枠３に設けられた操作レバー１６の操作によって、鉛直軸回りに回動しながら室外側に向かって開放可能に構成されている。また、障子１０の上框１１、下框１２、および縦框１３は、それぞれアルミ押出形材製の室外部材１１Ａ，１２Ａ，１３Ａと、室外部材１１Ａ，１２Ａ，１３Ａの室内側に係合される樹脂製の室内部材１１Ｂ，１２Ｂ，１３Ｂとを備えて構成されている。
【００２０】
機能面材２０は、ケース体２１と、このケース体２１に取り付けられた機能部品としての換気扇ユニット２２とを備えている。機能面材２０のケース体２１は、障子１０の上框１１、下框１２、および縦框１３と略同一の見込み寸法を有した上辺部２１１、下辺部２１２、および左右の縦辺部２１３を有して形成されている。換気扇ユニット２２は、通風ダクト２２１および送風ファン２２２を有して構成され、ケース体２１の上辺部２１１、下辺部２１２、および縦辺部２１３よりも室内側に突出して設けられている。ケース体２１の室外側側面には、換気扇ユニット２２の通風ダクト２２１を室外空間に連通させる室外側通気口２１Ａが形成されている。一方、機能面材２０の室内側には、換気扇ユニット２２の室内側突出部分を覆うカバー部材２３が設けられている。このカバー部材２３は、上下端がそれぞれ上枠２および無目６に支持されて取り付けられている。そして、カバー部材２３には、換気扇ユニット２２の通風ダクト２２１を室内空間に連通させる室内側通気口２３Ａが形成されている。このような換気扇ユニット２２において、送風ファン２２２を作動させることで、室内空間の空気が室内側通気口２３Ａ、通風ダクト２２１および室外側通気口２１Ａを介して室外空間に排出されるようになっている。
【００２１】
次に、窓枠５および無目６と障子１０および機能面材２０との取り合い部分の構造について、図５〜図８も参照して説明する。
図５は、無目６における障子１０および機能面材２０との取り合いを示す縦断面図である。図６は、縦辷り出し窓１を示す分解斜視図である。図７(Ａ)，(Ｂ)は、縦辷り出し窓１の障子１０および機能面材２０を簡略して示す縦断面図である。図８(Ａ)，(Ｂ)は、縦辷り出し窓１の障子１０および機能面材２０を簡略して示す横断面図である。
【００２２】
図２および図７(Ｂ)に示すように、上枠２の室内部材２Ａの室外端には、下方（上部矩形領域５Ａ側）に突出して見付け方向に延びる見付け面としての突出片２Ｄが形成されている。この突出片２Ｄの先端部における室外側側面には、気密材であるＡＴ材２Ｅが取り付けられている。また、上枠２の室外部材２Ｂの室外側にて上下に延びる見付け面としての側面部２Ｆには、気密材であるＡＴ材２Ｇが取り付けられている。
一方、機能面材２０のケース体２１における上辺部２１１には、上枠２の突出片２Ｄに対向して上下に延びる室内側側面部２１１Ａと、上枠２の側面部２Ｆに対向して上下に延びる室外側側面部２１１Ｂとが形成されている。そして、これらの室内側および室外側の側面部２１１Ａ，２１１Ｂは、上枠２のＡＴ材２Ｅ，２Ｇに当接され、上枠２および機能面材２０間の気密性および水密性が確保されるようになっている。すなわち、ＡＴ材２Ｅ，２Ｇによって上枠２の室内側および室外側の当接部が構成され、機能面材２０の室内側および室外側の側面部２１１Ａ，２１１Ｂによって上辺部２１１における室内側および室外側の被当接部が構成されている。
【００２３】
また、無目６の室内部材６Ａの室外端には、上方（上部矩形領域５Ａ側）および下方（下部矩形領域５Ｂ側）にそれぞれ突出して見付け方向に延びる見付け面としての突出片６Ｄが形成され、この突出片６Ｄの先端部における室外側側面には、気密材であるＡＴ材６Ｅが取り付けられている。また、無目６の室外部材６Ｂの室外側にて上下に延びる見付け面としての側面部６Ｆの上下端部には、それぞれ気密材であるＡＴ材６Ｇが取り付けられている。
一方、機能面材２０のケース体２１における下辺部２１２には、無目６の突出片６Ｄに対向して上下に延びる室内側側面部２１２Ａと、無目６の側面部６Ｆに対向して上下に延びる室外側側面部２１２Ｂとが形成されている。そして、これらの室内側および室外側の側面部２１２Ａ，２１２Ｂは、無目６のＡＴ材６Ｅ，６Ｇに当接され、無目６および機能面材２０間の気密性および水密性が確保されるようになっている。すなわち、ＡＴ材６Ｅ，６Ｇによって無目６の室内側および室外側の当接部が構成され、機能面材２０の室内側および室外側の側面部２１２Ａ，２１２Ｂによって下辺部２１２における室内側および室外側の被当接部が構成されている。
【００２４】
また、図２および図７(Ａ)に示すように、障子１０の上框１１における室内部材１１Ｂの側面部１１Ｃが無目６のＡＴ材６Ｅに当接され、室外部材１１Ａの室外側から上方に延びる側面部１１ＤがＡＴ材６Ｇに当接され、無目６および上框１１間の気密性および水密性が確保されるようになっている。すなわち、ＡＴ材６Ｅ，６Ｇによって無目６の室内側および室外側の当接部が構成され、上框１１の側面部１１Ｃ，１１Ｄによって室内側および室外側の被当接部が構成されている。
【００２５】
次に、図２および図７(Ａ)に示すように、下枠３の室内部材３Ａの室外端には、下部矩形領域５Ｂ側に向かって上下に延びる見付け面としての側面部３Ｄが形成されている。この側面部３Ｄの上端部における室外側側面には、気密材であるＡＴ材３Ｅが取り付けられている。また、下枠３の室外部材３Ｂの室外側にて上下に延びる見付け面としての側面部３Ｆには、気密材であるＡＴ材３Ｇが取り付けられている。そして、障子１０の下框１２における室内部材１２Ｂの側面部１２Ｃが下枠３のＡＴ材３Ｅに当接され、室外部材１２Ａの室外側から下方に延びる側面部１２ＤがＡＴ材３Ｇに当接され、下枠３および下框１２間の気密性および水密性が確保されるようになっている。すなわち、ＡＴ材３Ｅ，３Ｇによって下枠３の室内側および室外側の当接部が構成され、下框１２の側面部１２Ｃ，１２Ｄによって室内側および室外側の被当接部が構成されている。
【００２６】
次に、図３および図８(Ａ)に示すように、縦枠４の室内部材４Ａの室外端、および室外部材４Ｂの室外の室外寄りの位置には、それぞれ見付け方向内方（上下の矩形領域５Ａ，５Ｂ側）に突出する見付け面としての突出片４Ｄ，４Ｆが形成されている。これらの突出片４Ｄ，４Ｆの先端部における室外側側面には、気密材であるＡＴ材４Ｅ，４Ｇが取り付けられている。
一方、障子１０の縦框１３における室内部材１３Ｂの側面部１３Ｃが縦枠４のＡＴ材４Ｅに当接され、室外部材１３Ａの室外側から見付け方向外側に延びる側面部１３ＤがＡＴ材４Ｇに当接され、縦枠４および縦框１３間の気密性および水密性が確保されるようになっている。すなわち、ＡＴ材４Ｅ，４Ｇによって縦枠４の室内側および室外側の当接部が構成され、縦框１３の側面部１３Ｃ，１３Ｄによって室内側および室外側の被当接部が構成されている。
【００２７】
また、図４および図８(Ｂ)に示すように、機能面材２０のケース体２１における縦辺部２１３には、縦枠４の突出片４Ｄ，４Ｆに対向して左右に延びる室内側側面部２１３Ａ，２１３Ｂが形成されている。そして、これらの室内側および室外側の側面部２１３Ａ，２１３Ｂは、縦枠４のＡＴ材４Ｅ，４Ｇに当接され、縦枠４および機能面材２０間の気密性および水密性が確保されるようになっている。すなわち、機能面材２０の室内側および室外側の側面部２１３Ａ，２１３Ｂによって縦辺部２１３における室内側および室外側の被当接部が構成されている。
さらに、縦辺部２１３の室内端には、室内側に向かって突出するとともに縦枠４の突出片４Ｄに沿って折れ曲がる固定片部２１３Ｃが形成されている。そして、固定片部２１３Ｃには、突出片４Ｄを室内側から貫通するビスが螺合され、これにより、機能面材２０が窓枠５に固定されるようになっている。
【００２８】
以上のような窓枠５における上枠２の突出片２Ｄ、側面部２ＦおよびＡＴ材２Ｅ，２Ｇ、下枠３の側面部３Ｄ，３ＦおよびＡＴ材３Ｅ，３Ｇ、縦枠４の突出片４Ｄ，４ＦおよびＡＴ材４Ｅ，４Ｇ、無目６の突出片６Ｄ、側面部６ＦおよびＡＴ材６Ｅ，６Ｇによって、障子１０および機能面材２０と取り合う取合部が構成されている。そして、上枠２における突出片２ＤおよびＡＴ材２Ｅと側面部２ＦおよびＡＴ材２Ｇとの見込み方向および見付け方向の相対位置と、無目６の下側における突出片６ＤおよびＡＴ材６Ｅと側面部６ＦおよびＡＴ材６Ｇとの見込み方向および見付け方向の相対位置とは、互いに略同一に設定されている。これと同様に、下枠３における側面部３ＤおよびＡＴ材３Ｅと側面部３ＦおよびＡＴ材３Ｇとの見込み方向および見付け方向の相対位置と、無目６の上側における突出片６ＤおよびＡＴ材６Ｅと側面部６ＦおよびＡＴ材６Ｇとの見込み方向および見付け方向の相対位置とは、互いに略同一に設定されている。さらに、縦枠４における突出片４Ｄ，４ＦおよびＡＴ材４Ｅ，４Ｇは、縦枠４の全長に渡って同一位置に形成されている。さらに、上枠２、下枠３、縦枠４、および無目６のＡＴ材２Ｅ，３Ｅ，４Ｅ，６Ｅ、およびＡＴ材２Ｇ，３Ｇ，４Ｇ，６Ｇは、それぞれ見込み方向の略同一位置に設けられている。
【００２９】
一方、障子１０における上框１１の側面部１１Ｃ，１１Ｄ、下框１２の側面部１２Ｃ，１２Ｄ、縦框１３の側面部１３Ｃ，１３Ｄ、および機能面材２０のケース体２１における上辺部２１１の側面部２１１Ａ，２１１Ｂ、下辺部２１２の側面部２１２Ａ，２１２Ｂ、縦辺部２１３の側面部２１３Ａ，２１３Ｂによって、窓枠５および無目６の取合部に対応した被取合部が構成されている。そして、上框１１における室内側の側面部１１Ｃと室外側の側面部１１Ｄとの見込み方向および見付け方向の相対位置と、機能面材２０の上辺部２１１における室内側の側面部２１１Ａと室外側の側面部２１１Ｂとの見込み方向および見付け方向の相対位置とは、互いに略同一に設定されている。これと同様に、下框１２における室内側の側面部１２Ｃと室外側の側面部１２Ｄとの見込み方向および見付け方向の相対位置と、機能面材２０の下辺部２１２における室内側の側面部２１２Ａと室外側の側面部２１２Ｂとの見込み方向および見付け方向の相対位置とは、互いに略同一に設定されている。さらに、縦框１３における室内側の側面部１３Ｃと室外側の側面部１３Ｄとの見込み方向および見付け方向の相対位置と、機能面材２０の縦辺部２１３における室内側の側面部２１３Ａと室外側の側面部２１３Ｂとの見込み方向および見付け方向の相対位置とは、互いに略同一に設定されている。
【００３０】
すなわち、図７(Ａ)に示すように、無目６のＡＴ材６Ｅと上框１１の側面部１１Ｃとの当接位置と、無目６のＡＴ材６Ｇと上框１１の側面部１１Ｄとの当接位置とは、見込み方向に間隔寸法Ａだけ離れ、見付け方向に間隔寸法Ｂだけ離れている。そして、図７(Ｂ)に示すように、上枠２のＡＴ材２Ｅと機能面材２０の側面部２１１Ａとの当接位置と、上枠２のＡＴ材２Ｇと機能面材２０の側面部２１１Ｂとの当接位置とは、見込み方向に間隔寸法Ａだけ離れ、見付け方向に間隔寸法Ｂだけ離れている。従って、無目６と上枠２とは、互いの取合部の見込み寸法および見付け寸法が略同一とされ、障子１０の上框１１と機能面材２０の上辺部２１１とは、互いの被取合部の見込み寸法および見付け寸法が略同一とされている。
【００３１】
また、図７(Ａ)に示すように、下枠３のＡＴ材３Ｅと下框１２の側面部１２Ｃとの当接位置と、下枠３のＡＴ材３Ｇと下框１２の側面部１２Ｄとの当接位置とは、見込み方向に間隔寸法Ａだけ離れ、見付け方向に間隔寸法Ｃだけ離れている。そして、図７(Ｂ)に示すように、無目６のＡＴ材６Ｅと機能面材２０の側面部２１２Ａとの当接位置と、無目６のＡＴ材６Ｇと機能面材２０の側面部２１２Ｂとの当接位置とは、見込み方向に間隔寸法Ａだけ離れ、見付け方向に間隔寸法Ｃだけ離れている。従って、下枠３と無目６とは、互いの取合部の見込み寸法および見付け寸法が略同一とされ、障子１０の下框１２と機能面材２０の下辺部２１２とは、互いの被取合部の見込み寸法および見付け寸法が略同一とされている。
なお、本実施形態では、下枠３と下框１２との２つの当接位置間の間隔寸法Ｃと、無目６と機能面材２０との２つの当接位置間の間隔寸法Ｃとを、同一に設定したが、これらの間隔寸法が下枠３位置と無目６の上面位置とで異なっていてもよい。つまり、下枠３や無目６の上面においては、止水性能や排水性能が特に要求されるため、障子１０や機能面材２０の形状や大きさ等に応じて、最適な下枠３の形状や無目６の上面形状に設定すればよい。
【００３２】
さらに、図８(Ａ)に示すように、縦枠４のＡＴ材４Ｅと縦框１３の側面部１３Ｃとの当接位置と、縦枠４のＡＴ材４Ｇと縦框１３の側面部１３Ｄとの当接位置とは、見込み方向に間隔寸法Ａだけ離れ、見付け方向に間隔寸法Ｄだけ離れている。そして、図８(Ｂ)に示すように、縦枠４のＡＴ材４Ｅと機能面材２０の側面部２１３Ａとの当接位置と、縦枠４のＡＴ材４Ｇと機能面材２０の側面部２１３Ｂとの当接位置とは、見込み方向に間隔寸法Ａだけ離れ、見付け方向に間隔寸法Ｄだけ離れている。従って、縦枠４の取合部の見込み寸法および見付け寸法は縦枠４の全長に渡って略同一とされ、障子１０の縦框１３と機能面材２０の縦辺部２１３とは、互いの被取合部の見込み寸法および見付け寸法が略同一とされている。
【００３３】
なお、以上の窓枠５、無目６、障子１０、および機能面材２０において、間隔寸法Ａは、障子１０の見込み寸法に対応した共通の寸法とされている。また、間隔寸法Ｂ，Ｃ，Ｄは、互いに異なる寸法とされてもよく、また間隔寸法Ｂ，Ｃ，Ｄのうちのいずれか２つ、または全てが共通の寸法とされていてもよい。
【００３４】
このような本実施形態によれば、以下のような効果がある。
（１）すなわち、窓枠５内を無目６で仕切った上下の矩形領域５Ａ，５Ｂのうち、下側矩形領域５Ｂに障子１０を配設し、上側矩形領域５Ａに機能面材２０を配設することで、機能面材２０に設けられた換気扇ユニット２２の換気機能を縦辷り出し窓１に付加することができる。
【００３５】
（２）そして、換気扇ユニット２２は、従来のように窓枠の枠材に組み込まれるのではなく、機能面材２０に組み込まれた状態で窓枠５に取り付けられるので、特殊な形状の上枠や下枠、縦枠等を製造する必要がなく、汎用の窓枠５を使用することができ、製造コストの増加を防止することができる。
【００３６】
（３）さらに、換気扇ユニット２２を交換または更新する際に新たな換気扇ユニット２２のサイズや機能が変更されていた場合でも、機能面材２０を窓枠５から取り外して、新たな換気扇ユニット２２を組み込んだ機能面材２０を取り付けるだけでよいため、窓枠５を新たに製造して交換しなくても換気扇ユニット２２の交換や更新が容易にできる。
【００３７】
（４）また、障子１０の上框１１、下框１２および縦框１３の被取合部と、機能面材２０の上辺部２１１、下辺部２１２および縦辺部２１３の被取合部とが、互いに略同一の見込み寸法および見付け寸法に形成されているので、窓枠５の取合部を共通化でき、製造や組立に要する手間やコストを低減することができる。
【００３８】
（５）さらに、無目６の底面側の取合部が上枠２の取合部と略同一寸法に形成されるので、この窓枠５全体に取り付けられるように設計された障子１０の上下（縦）方向の寸法を短くして製造するだけで、窓枠５や障子１０の設計変更の必要がなく、この障子１０を容易に窓枠５の下部矩形領域５Ｂに取り付けることができる。
【００３９】
（６）また、換気扇ユニット２２の室内側に突出した突出部分をカバー部材２３で覆うことで、縦辷り出し窓１の室内側の外観意匠を良好にすることができるとともに、障子１０の見込み寸法に関わらずに、要求される機能に応じたサイズの通風ダクト２２１や送風ファン２２２を選択することができる。
【００４０】
（７）また、窓枠５および無目６のＡＴ材２Ｅ，２Ｇ，３Ｅ，３Ｇ，４Ｅ，４Ｇ，６Ｅ，６Ｇに障子１０および機能面材２０を当接させることで、障子１０および機能面材２０を容易に位置決めして取り付けることができる。そして、ＡＴ材２Ｅ，２Ｇ，３Ｅ，３Ｇ，４Ｅ，４Ｇ，６Ｅ，６Ｇが上下の矩形領域５Ａ，５Ｂにおいて四周連続して設けられているので、窓枠５と障子１０および機能面材２０との気密性を確保することができる。
【００４１】
（８）機能面材２０の縦辺部２１３の固定片部２１３Ｃを、窓枠５の縦枠４の突出片４Ｄにビス止め固定するだけで、機能面材２０を簡単に窓枠５に対して固定することができる。また、室内側からビス止めすることにより、室外側から機能面材２０を取り外すことができないので、防犯性を確保することができる。
【００４２】
なお、本発明は、前記各実施形態に限定されるものではなく、本発明の目的を達成できる他の構成等を含み、以下に示すような変形等も本発明に含まれる。
例えば、前記各実施形態においては、縦辷り出し窓１を例示して説明したが、本発明のサッシ窓はこのような縦辷り出し窓１に限られず、開き窓や横辷り出し窓等であってもよい。つまり、縦辷り出し形式の障子１０に代えて、外開き形式の障子や横辷り出し形式の障子を取り付けることで、開き窓や横辷り出し窓を構成することができる。
また、機能部品としては、換気扇ユニット２２に限らず、太陽光発電ユニットや防犯設備ユニットなどが適用可能である。
【００４３】
また、前記実施形態では、窓枠５を上下に仕切る無目６を仕切り部材として用いたが、これに限らず、窓枠を左右に仕切る方立を用いてもよい。この際、例えば、左右に仕切られた矩形領域の一方に障子を配設し、他方に機能面材を配設すればよく、方立の左右の見込み側面に形成される取合部を縦枠の取合部と略同一形状に形成しておけばよい。
さらに、無目６や方立を複数本配置してもよく、また無目と方立を組み合わせて窓枠内部を格子状に仕切ってもよい。この場合、複数の矩形領域が形成されるので、これら複数の矩形領域に、複数の障子と１つの機能面材とを配設してもよく、また１つの障子と複数の機能面材とを配設してもよく、さらに複数の障子と複数の機能面材とを配設してもよい。
【００４４】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４５】
【図１】本発明の実施形態に係るサッシ窓を示す正面図である。
【図２】前記サッシ窓を示す縦断面図である。
【図３】前記サッシ窓を示す横断面図であり、図１に矢視III−III線で示す断面図である。
【図４】前記サッシ窓を示す横断面図であり、図１に矢視IV−IV線で示す断面図である。
【図５】前記サッシ窓の一部を拡大して示す縦断面図である。
【図６】前記サッシ窓を示す分解斜視図である。
【図７】(Ａ)，(Ｂ)は、前記サッシ窓における障子および機能面材の納まりを示す縦断面図である。
【図８】(Ａ)，(Ｂ)は、前記サッシ窓における障子および機能面材の納まりを示す横断面図である。
【符号の説明】
【００４６】
１…サッシ窓である縦辷り出し窓、２…上枠、３…下枠、４…縦枠、５…窓枠、５Ａ，５Ｂ…矩形領域、６…仕切り部材である無目、２Ｄ，４Ｄ，４Ｆ，６Ｄ…見込み面である突出片、２Ｆ，３Ｄ，３Ｆ，６Ｆ…見込み面である側面部、２Ｅ，２Ｇ，３Ｅ，３Ｇ，４Ｅ，４Ｇ，６Ｅ，６Ｇ…当接部および気密材であるＡＴ材、１０…障子、１１…上框、１２…下框、１３…縦框、１１Ｃ，１１Ｄ，１２Ｃ，１２Ｄ，１３Ｃ，１３Ｄ，２１１Ａ，２１１Ｂ，２１２Ａ，２１２Ｂ，２１３Ａ，２１３Ｂ…被当接部である側面部、２０…機能面材、２１Ａ…室外側通気口、２２…機能部品である換気扇ユニット、２３…カバー部材、２３Ａ…室内側通気口、２２１…通風ダクト、２２２…送風ファン。
【図１】
2006077518.tif 000003
【図２】
2006077518.tif 000004
【図３】
2006077518.tif 000005
【図４】
2006077518.tif 000006
【図５】
2006077518.tif 000007
【図６】
2006077518.tif 000008
【図７】
2006077518.tif 000009
【図８】
2006077518.tif 000010